(57)【特許請求の範囲】
【請求項１】
放音のための複数の開口が設けられたケースと、
前記ケースの内側に配置される、磁気部を有するスピーカと、
前記スピーカの外周部分を支持し、前記スピーカを前記ケースの内面から隔離させる支持体と、
を有し、
前記複数の開口は、前記スピーカの放音側であって、前記ケースの前記スピーカに対面した領域内の前記支持体に対してスピーカの内周側に位置し、前記ケースの前記磁気部に対面した位置にある、前記磁気部が投影される前記開口が設けられていない対面領域の周囲の領域であって、前記支持体から離れた位置に、前記ケース内部から前記ケース外部に連通して設けられていることを特徴とする通話端末機。
【請求項２】
前記支持体は、前記ケースの内面に設けられていることを特徴とする請求項１に記載の通話端末機。
【請求項３】
複数の前記開口を有し、少なくとも１の前記開口が前記スピーカと対向して設けられていることを特徴とする請求項１、又は請求項２に記載の通話端末機。
【請求項４】
前記対面領域の外周部に複数の前記開口が設けられていることを特徴とする請求項１乃至請求項３のいずれか一項に記載の通話端末機。
【請求項５】
前記スピーカの振動板を前記開口に対向させて配置させたことを特徴とする請求項１乃至請求項４のいずれか一項に記載の通話端末機。
【請求項６】
前記スピーカの振動板の反対側を前記開口に対向させて配置させたことを特徴とする請求項１乃至請求項４のいずれか一項に記載の通話端末機。
【請求項７】
前記開口及び前記対面領域は、前記ケースの同一面内に設けられていることを特徴とする請求項１乃至請求項６のいずれか一項に記載の通話端末機。
【請求項８】
前記スピーカは、着信を知らせるために鳴動するためのものであることを特徴とする請求項１乃至請求項７のいずれか一項に記載の通話端末機。
【請求項９】
前記スピーカは、受話のために用いられるものであることを特徴とする請求項１乃至請求項８のいずれか一項に記載の通話端末機。
【請求項１０】
前記開口は、前記対面領域よりも前記スピーカの外周側に対応した位置に設けられることを特徴とする請求項１乃至請求項９のいずれか一項に記載の通話端末機。
【発明の詳細な説明】
【技術分野】
【０００１】
本願は、通話端末機に関する。
【背景技術】
【０００２】
従来から、親機端末と子機端末とを含んで構成される家庭用電話機が一般的に知られている。一般的に当該子機端末は、正面に相手の音声を再生（放音）する受話部と、利用者の音声を電気信号に変換するマイクを含む通話部と、利用者が操作する操作部と、を備えているが、図１に示すように、子機端末７０の背面側に、電話の着信を知らせる着信音を鳴動させる鳴動部７１（上記受話部を兼ねてもよい）が備えられているものも存在する。
【０００３】
そして、当該子機端末７０の鳴動部７１の内部には、ケース本体７０ａの内部にスピーカユニット７３が配置されており、ケース本体７０ａには、当該スピーカユニット７３から再生される音を外部に放出するための開口７４が形成されている。
【発明の開示】
【発明が解決しようとする課題】
【０００４】
子機端末は、親機端末と無線によって送受信可能となっており、親機端末と離れて使用することが可能となっている。
【０００５】
そのため、子機端末は親機端末と送受信可能な範囲で使用可能となっている。
【０００６】
このような子機端末は、例えば、鉄工所等の作業場で使用される場合、子機端末が載置される作業台に、図１に示すような姿勢で子機端末７０が置かれると、鉄の切粉などの金属粉７５が、ケース本体７０ａに形成された開口７４からケース本体７０ａの内部に侵入するとともに、スピーカユニット７３の振動板７３ａに付着し、その重量によりスピーカユニット７３から出力される音圧が低下するなどの問題が生じる場合がある。
【０００７】
そこで、このような課題の一例を解消するために、本願は、スピーカユニットの振動板に金属粉が付着するのを容易に防止可能な通話端末機を提供することを目的とする。
【課題を解決するための手段】
【０００８】
上述した課題を解決するため、本願請求項１に記載の通話端末機（２）は、放音のための開口（７ａ）が設けられたケース（２ａ）と、前記ケースの内側に配置される、磁気部（１７）を有するスピーカ（５）と、前記スピーカの外周部分を支持し、前記スピーカを前記ケースの内面から隔離させる支持体（２ｂ）と、を有し、前記複数の開口は、前記スピーカの放音側であって、前記ケースの前記スピーカに対面した領域内の前記支持体に対してスピーカの内周側に位置し、前記ケースの前記磁気部に対面した位置にある、前記磁気部が投影される前記開口が設けられていない対面領域の周囲の領域であって、前記支持体から離れた位置に、前記ケース内部から前記ケース外部に連通して設けられていることを特徴とする。
【発明を実施するための最良の形態】
【０００９】
以下、本願を実施するための最良の形態について、図面を用いて説明する。以下に説明する実施の形態は、いわゆる、親機端末と子機端末とを含んで構成される家庭用電話機の子機端末２に本願を適用したものである。なお、本願は子機端末２に限定されるものではなく、一般に、他の端末機と通信回線を介して通話可能な通話端末機、例えば、携帯電話などにも適用することが可能である。また、子機端末２に内蔵されるスピーカユニット５は、いわゆる、コーン型スピーカと称されるものであるが、この形式に限定されるものではなく、例えばドーム型や平面振動板型スピーカのような形式のスピーカであっても構わない。また、内磁型や外磁型の動電型スピーカの他に、静電型や圧電型スピーカ（それらに使われるトランスによる鉄粉付着）などの他の駆動形式のスピーカであってもよい。
【００１０】
また、以下の説明において、便宜上、図２（ａ）を子機端末の正面、図２（ｂ）を子機端末の背面として、図３におけるスピーカユニットの振動板側をスピーカユニットの正面、マグネット側をスピーカユニットの背面として説明する。
【００１１】
図２は子機端末の外観図を示し、図２（ａ）は子機端末の正面図、図２（ｂ）は子機端末の背面図、図３は本願の子機端末の受話部におけるスピーカの取付状態及び内部構造を示す断面図、図４は子機端末に対して鉄粉が吸着される状態を示す図である。
【００１２】
本実施形態の子機端末２は、図２に示すように、例えば、着信した音声を再生するスピーカユニット５を含む受話部６、７（当該受話部７が上記鳴動部を兼ねてもよい）と、利用者の音声を受信するためのマイクを含む通話部８と、数字キーなどを含み利用者が操作する操作部９と、所定の情報を表示する表示部１０と、を含んで構成される。
【００１３】
この子機端末２は、図２に示すように、ケース本体として機能する筐体２ａを有して構成されており、当該筐体２ａの正面及び背面には、受話部６、７及び通話部８に対応する部分に開口６ａ、７ａ、８ａが形成されている。
【００１４】
この子機端末２において、筐体２ａの背面に形成された受話部７に対応する筐体２ａの内部には、図３に示すように、当該開口７ａと対向するようにスピーカユニット５が固定して取り付けられている。スピーカユニット５は、その外周部が支持体２ｂとバッフル板として機能するスピーカ保持体１５とにより挟持され、当該スピーカユニット５の正面が筐体２ａの内部に向くように取り付けられている。よって、スピーカユニット５の背面が前記筐体２ａの開口側に配されている。
【００１５】
支持体２ｂ、２ｃは、スピーカユニット５及びスピーカ保持体１５を位置決めするためのものであって、筐体２ａから内側に突出して形成されている。一方、スピーカ保持体１５は、筐体２ａの背面と対向するように支持体２ｃによって位置決めされて配置されるとともに、当該筐体２ａの側面に係合し、固定して取り付けられている。また、このスピーカ保持体１５には、スピーカユニット５と対向する部分に、当該スピーカユニット５から放音される音が籠もってその音質や音圧が低下すること等を防止等するための貫通孔１５ａが形成されている。
【００１６】
スピーカユニット５は、コーン紙１６ａを含む振動系１６と、この振動系１６を中心軸の上下方向に振動させる円筒状のマグネット１７を含む磁気回路部１８と、振動系１６及び磁気回路部１８を支持するフレーム１９と、を備えて構成されている。なお、マグネット１７は、直流電源により励磁されるものであってもよいし、永久磁石を用いたものであってもよい。
【００１７】
そして、スピーカユニット５は、音声信号を示す電流（駆動信号）が供給されたときに、図３中の矢印に示すように、振動板として機能するコーン紙１６ａがスピーカユニット５の中心軸の上下方向に振動し、駆動信号に応じた音響エネルギが放射されるようになっている。
【００１８】
一方、筐体２ａには、当該マグネット１７と対向して当該マグネット１７と同形状の遮蔽部２０が形成されており、その周りにはスピーカユニット５から放出される音を外部に放音するための貫通孔２１が複数形成されている。なお、この貫通孔２１は、受話部７の開口７ａとして機能するものである。
【００１９】
ここで、例えば、鉄工所などの作業台に無造作に子機端末が置かれている場合について図４を用いて考察してみると、当該鉄工所の作業によって生じる金属粉（以下、鉄粉５０と称する。）などが筐体２ａの背面に形成された貫通孔２１を介して筐体２ａの内部に侵入し、スピーカユニット５の振動板に付着して、スピーカユニット５から放出される音圧が低下することが考えられる。また、スピーカユニット５には、周囲から中央部（磁気回路部１８）に向かって磁界が発生するため、鉄粉もその磁界に沿って移動すると考えられる。
【００２０】
本実施形態の子機端末２の筐体２ａには、マグネット１７と対向して遮蔽部２０が形成されている。当該遮蔽部２０は、外部から磁気回路部１８に向かう磁束が通過する範囲に設けられている。ここで、鉄粉５０は、磁気回路部１８に向けられた上記磁束に沿って前記マグネット１７に向かって吸着されるため、当該鉄粉５０は筐体２ａに形成された遮蔽部２０の外面に吸着されることとなる。また、たとえ、遮蔽部２０の外周部に形成された貫通孔２１を介して鉄粉５０が筐体２ａの内部に侵入しても、筐体２ａに近接した位置にマグネット１７が配置されている関係上、鉄粉５０は当該マグネット１７の表面に付着することとなり、振動板に付着することはない。
【００２１】
それでもなお、遮蔽部２０から離れた個所に形成されている貫通孔２１から鉄粉５０が筐体２ａの内部に侵入し振動板に鉄粉が付着されることも考えられるため、振動板の背面に設けられているフレーム１９には、当該スピーカユニットの振動板に鉄粉５０が付着するのを防止する通気可能なメッシュ状のカバー部材５１を取り付けるようにしても構わない。このようにすれば、筐体２ａの内部へ開口から微量ながら貫通孔２１から鉄粉５０が侵入したとしても、振動板への付着を容易且つ確実に防止することができる。
【００２２】
次に、子機端末の他の実施形態について図５を用いて説明する。図５は本願の子機端末の受話部におけるスピーカユニットの他の取付状態及び内部構造を示す断面図である。なお、図５において、図３と共通する部分には同一符号を付し、それらの説明は省略する。
【００２３】
図３において説明した実施形態はスピーカユニット５の正面が筐体２ａの内部に向けて取り付けられているのに対して、本実施形態では、図５に示すように、スピーカユニット５の正面が筐体２ａに形成された開口７ａ（貫通孔２１）側に向けて取り付けられている。
【００２４】
この場合においても、筐体２ａには、当該マグネット１７と対向して遮蔽部２０が形成され、その周りにスピーカユニット５から放出される音を外部に放音するための開口２１が複数形成されている。
【００２５】
本実施形態において、図５に示すように、鉄工所などの作業台に無造作に子機端末２が置かれている状態を仮定して鉄粉の付着状態を検証したところ、鉄粉は、マグネット１７に向かって吸着され、その中心方向（遮蔽部２０上）に密に堆積されることが確認できた。また、鉄粉は、遮蔽部２０の周辺に形成されている貫通孔２１からはほとんど侵入しないことが確認できた。
【００２６】
以上に説明したように、本実施形態の子機端末２は、放音のための開口７ａを有するケース本体２ａと、前記開口７ａと対向し且つ前記ケース本体２ａの内部に配置されるマグネット１７を含むスピーカユニット５と、前記開口７ａ側であって前記マグネット１７に向かう磁束が通過する範囲に設けられる遮蔽部２０と、を備えている。当該遮蔽部２０は、言い換えれば、マグネット１７に対して生じる磁束により前記子機端末２の外部から引き寄せられる鉄粉５０が通過する範囲に設けられている。また、この遮蔽部２０はケース本体２ａに形成され、前記遮蔽部２０の周りに前記開口７ａが形成されている。また、マグネット１７は前記ケース本体２ａの開口７ａ側に配されている。さらに、前記スピーカユニット５とケース本体２ａとの間には、前記スピーカユニット５の振動板１６ａに鉄粉５０が付着するのを防止する通気可能なカバー部材５１が設けられている。
【００２７】
このように構成された本実施形態の子機端末２によれば、マグネット１７に対して外部から引き寄せられる鉄粉５０は、磁気部１７の周囲に形成される磁界に沿って移動することにより遮蔽部２０上に堆積される。よって、遮蔽部２０が設けられていることにより、ケース本体２ａの内部への鉄粉５０の侵入を有効に阻止できるとともに、開口７ａから鉄粉５０がケース本体２ａの内部に侵入し、スピーカユニット５の振動板１６ａに付着して当該スピーカユニット５から出力される音圧が低下するのを防止できる。
【００２８】
また、マグネット１７はケース本体２ａの開口７ａ側に配されているので、たとえ、開口７ａから鉄粉５０がケース本体の内部へ侵入しても、鉄粉５０は、当該マグネット１７の表面に付着することとなり、振動板１６ａに付着することはない。
【００２９】
さらに、カバー部材５１が設けられているので、鉄粉５０がマグネット１７に付着されず、ケース本体２ａの内部に侵入したとしても、振動板１６ａへの付着を容易且つ確実に防止することができる。
【００３０】
なお、本実施形態は一形態であって、この形態に限定されるものではない。例えば、図３又は図５において、スピーカユニット５の外周面は、支持体２ａとスピーカ保持体１５とにより挟持されているが、スピーカユニット５の外周面をスピーカ保持体１５に貼り付けて固定しても構わない。
【図面の簡単な説明】
【００３１】
【図１】従来の子機端末の内部構造を示す断面図である。
【図２】子機端末の外観図を示し、図１（ａ）は子機端末の正面図、図１（ｂ）は子機端末の背面図である。
【図３】本願の子機端末の受話部におけるスピーカの取付状態及び内部構造を示す断面図である。
【図４】子機端末に対して鉄粉が吸着される状態を示す図である。
【図５】本願の子機端末の受話部におけるスピーカユニットの他の取付状態及び内部構造を示す断面図である。
【符号の説明】
【００３２】
２  子機端末
２ａ  筐体
５  スピーカユニット
７ａ  開口
１５ａ  貫通孔
１７  マグネット
２０  遮蔽部
５１  カバー部材
【図１】
0004637060.tif 000002
【図２】
0004637060.tif 000003
【図３】
0004637060.tif 000004
【図４】
0004637060.tif 000005
【図５】
0004637060.tif 000006